(57)【要約】【課題】移動する商品の位置情報を自動的に取得でき、移動過程での商品管理及び品質管理等の管理状況情報と対応付ける。【解決手段】商品ＩＤ及びデータ蓄積部を具備して商品に取り付けられる被検出器ＩＣタグと、各拠点に設置され領域内に存在する被検出器ＩＣタグと無線通信可能なアクセスポイントと、サーバと、を備えた商品の位置検知による流通管理システムであって、アクセスポイントは、タグ活性化エリアにある被検出器ＩＣタグを検知して商品ＩＤを読み取り当該被検出器ＩＣタグを活性化状態に遷移させ、タグ活性化エリア外にある被検出器ＩＣタグを検知して当該被検出器ＩＣタグの商品ＩＤを読み取り当該被検出器ＩＣタグを非活性化状態に遷移させ、その際に現在の時刻を取得して当該被検出器ＩＣタグに対して送信し、位置情報と時刻とをデータ蓄積部に記録させ、位置情報と時刻とをサーバに送信する。【選択図】図１
2014071555.tif 000002
【特許請求の範囲】
【請求項１】
商品ＩＤを記憶しかつデータ蓄積部を具備して商品に取り付けられる被検出器ＩＣタグと、商品の移動する各拠点に設置され自己の電波の及ぶ領域内に存在する前記被検出器ＩＣタグとの間で無線通信可能なアクセスポイントと、前記アクセスポイントとネットワークを介して接続されたサーバと、を備えた商品の位置検知による流通管理システムであって、
前記アクセスポイントの電波の及ぶ領域内には、タグ活性化エリアと、それ以外の範囲であるタグ活性化エリア外とが含まれており、
前記アクセスポイントは、
タグ活性化エリアにある前記被検出器ＩＣタグを検知したとき、当該被検出器ＩＣタグの商品ＩＤを読み取るとともに当該被検出器ＩＣタグを活性化状態に遷移させる手段と、
タグ活性化エリア外にある前記被検出器ＩＣタグを検知したとき、当該被検出器ＩＣタグの商品ＩＤを読み取るとともに当該被検出器ＩＣタグを非活性化状態に遷移させる手段と、
活性化状態又は非活性化状態に遷移させる際に現在の時刻を取得して当該被検出器ＩＣタグに対して送信し、当該商品の存在する拠点を示す位置情報と前記時刻とを当該被検出器ＩＣタグのデータ蓄積部に記録させる手段と、
前記被検出器ＩＣタグのデータ蓄積部に記録された位置情報と時刻とを前記サーバに送信する手段と、を有することを特徴とする
商品の位置検知による流通管理システム。
【請求項２】
前記サーバは、前記各拠点の位置情報と、前記各拠点における商品の管理状況情報とを対応付けて格納した外部データ蓄積部を有することを特徴とする
請求項１に記載の商品の位置検知による流通管理システム。
【発明の詳細な説明】
【技術分野】
【０００１】
本発明は、商品の管理状況を、アクセスポイントによる位置検知情報に基づいて自動的に記録することで、トレーサビリティ用の記録を正確にする流通管理システムに関する。
【背景技術】
【０００２】
流通管理情報が不正確であるために、消費者に受け入れられない破損や鮮度低下などを生じた商品が流通してしまうことが、新聞などで取り上げられることが多くなっている。よって、流通管理情報がいかに正確であるかが消費者にとって重要である。このことから、商品に付したＩＣタグを、所定箇所に設置したアクセスポイントにより自動的に位置検知するシステムが普及しつつある。また、ＩＣタグとデータ蓄積部を組み合わせたシステムも普及している。
【０００３】
商品のトレーサビリティシステムとしては、例えば特許文献１のように、物品個体そのもの、あるいはパック等に入れたかたまりごとに識別情報であるＩＤを付与し、そのＩＤを流通業者から消費者まで引き継いでいくことにより、ＩＤに紐付けられた生産地や流通履歴情報を、流通業者あるいは消費者が参照できる仕組みが、提案されている。
【先行技術文献】
【特許文献】
【０００４】
【特許文献１】特許第３３５５３６６号明細書
【発明の概要】
【発明が解決しようとする課題】
【０００５】
上記の仕組みは、生産現場に近い場所で個体のままあるいはパックの形に梱包され、そのままの荷姿で最終消費者まで届くものにおいては有効である。しかしながら、流通の途中段階まで、いわゆる「ばら荷」の状態で運ばれる生鮮食品への適用は難しい。また、生鮮食品生産地から加工場所あるいは格納場所などに運ばれた後にＩＤシールが貼り付けられるため、正しい品質管理をされたものかどうかは人手による手段に委ねざるを得ない状況にある。万が一、流通管理の状況把握を間違うと、流通過程における商品管理や品質管理履歴を、いかに綿密に記録し流通過程におけるトレーサビリティの仕組みを構築していたとしても、元となるデータの信頼性が損なわれることで、後の仕組みが全く意味をなさない危険性が残されていた。
【０００６】
本発明は、この課題を解決することを目的とし、移動する商品の位置情報を自動的に取得でき、移動過程での商品管理及び品質管理等の管理状況情報と対応付けることができる、商品の位置検知による流通管理システムを提供するものである。
【課題を解決するための手段】
【０００７】
本発明は、上記課題を解決するために以下の構成を提供する。
商品の運搬時の品質管理は、加工時の環境及び運搬機器のトレーラ環境を管理することで行われる。商品は、運搬機器に搭載され、保管場所あるいは別の作業場所に運ばれる。商品が保管又は処理される拠点における品質管理状況が予め正しく把握されている場合、実際に商品が移動していく各拠点の位置情報さえ知ることができれば、商品が各拠点でどのような品質管理をされていたかを特定することが可能である。
【０００８】
このことに着目して、商品の生産地や保管場所に端末装置であるアクセスポイントを設置し、アクセスポイントが商品に付した被検出器ＩＣタグを自動的に検知して、被検出器ＩＣタグ内にあるデータ蓄積部に生産地や保管場所の位置情報を逐次記録させるようにする。同時にアクセスポイントもまた、商品の位置情報を保存し、定期的にサーバに送信する。サーバは、アクセスポイントから受信した商品の位置情報を記録する。さらにサーバは、生産地や保管場所における商品の管理状況情報を予め保有している。よって、サーバにおいて、商品の位置情報と、予め保有している商品の管理状況情報とを関連づけることで、商品のトレース情報の自動記録を達成できることになる。
例えば、
・港の工場への入荷  （入荷時刻、工場の場所、地名、冷凍開始の時間）
・工場から出荷      （出荷時刻、移動方法（高速名）、積み込み時間）
・競り市への入荷    （入荷時刻、解凍開始時間）
競りの後
・各販売店（スーパー等）（入荷時刻、移動にかかった時間、冷凍から解凍までの時間、
店頭に並べる予定時間）
といったデータを自動的に得ることができる。
【０００９】
本発明の態様は、商品ＩＤを記憶しかつデータ蓄積部を具備して商品に取り付けられる被検出器ＩＣタグと、商品の移動する各拠点に設置され自己の電波の及ぶ領域内に存在する前記被検出器ＩＣタグとの間で無線通信可能なアクセスポイントと、前記アクセスポイントとネットワークを介して接続されたサーバと、を備えた商品の位置検知による流通管理システムであって、前記アクセスポイントの電波の及ぶ領域内には、タグ活性化エリアと、それ以外の範囲であるタグ活性化エリア外とが含まれており、前記アクセスポイントは、タグ活性化エリアにある前記被検出器ＩＣタグを検知したとき、当該被検出器ＩＣタグの商品ＩＤを読み取るとともに当該被検出器ＩＣタグを活性化状態に遷移させる手段と、タグ活性化エリア外にある前記被検出器ＩＣタグを検知したとき、当該被検出器ＩＣタグの商品ＩＤを読み取るとともに当該被検出器ＩＣタグを非活性化状態に遷移させる手段と、活性化状態又は非活性化状態に遷移させる際に現在の時刻を取得して当該被検出器ＩＣタグに対して送信し、当該商品の存在する拠点を示す位置情報と前記時刻とを当該被検出器ＩＣタグのデータ蓄積部に記録させる手段と、前記被検出器ＩＣタグのデータ蓄積部に記録された位置情報と時刻とを前記サーバに送信する手段と、を有することを特徴とする。さらに、前記サーバは、前記各拠点の位置情報と、前記各拠点における商品の管理状況情報とを対応付けて格納した外部データ蓄積部を有することが好適である。
【発明の効果】
【００１０】
本発明によれば、生産拠点、処理・加工拠点、流通・販売拠点、保管場所等に設置したアクセスポイントにより位置検知した被検出器ＩＣタグを自動的に活性化・非活性化してこれを被検出器ＩＣタグに記録させるとともに、アクセスポイントから位置情報をサーバに送信することで、運搬された商品の品質管理状況を確認することができる。
また、無線を使ったアクセスポイントによる位置検知を中心とした被検出器ＩＣタグの管理に、被検出器ＩＣタグの活性化・不活性化をトリガにした時間管理を組み合わせることにより、より細かい商品管理、品質管理することができる。
【００１１】
例えば保管場所が複数の保管区画に分割されており、それぞれ保管状況が異なる場合には、保管区画ごとにアクセスポイントを分けて管理することで正しい情報を管理することができる。
【００１２】
さらに、被検出器ＩＣタグが活性化されている商品が、非活性化手段を行わずに活性化された状態のままで、活性化エリア外への間違った運搬、悪意ある運搬を防止することにも役立てることができる。また、アクセスポイントによる被検出器ＩＣタグの位置検知を行い、その場でサーバの品質管理状況情報を参照し、保管場所に保管されるべき商品類と一致しているかどうかをアクセスポイントに付設された端末でチェックすることで、誤って混在してしまうことが無いように適正な管理を行うことが可能である。
【００１３】
品質管理基準をサーバで記憶しておきサーバで管理しておくことで、運搬方法の改善項目の抽出ができる。または、品質保管方法の見直しに冷凍時間や解凍時間の時間測定値のデータを使用することができる。
【００１４】
運搬されてきた商品がどのように管理されて消費者に届けられているか伝達することも可能となる。また、消費者は、家庭用冷蔵庫などにアクセスポイントの機能を付加することで、家庭内でも同じ管理を適用することで、品質管理及び保管期限管理などに応用できる。
【００１５】
本発明により、運搬されてきた商品がどのように管理されたものかを自動的に記録することができ、記録の省力化が図れ、かつ記録の信憑性が高まる。このことにより、商品の品質が正しく保管され、安全に運搬されたことを自動的に証明する仕組みが提供できることになる。
【図面の簡単な説明】
【００１６】
【図１】図１は、本発明による流通管理システムの一実施形態における一拠点の概略構成図である。
【図２】図２は、被検出器ＩＣタグにより位置検出する処理を説明した図である。
【図３】図３は、被検出器ＩＣタグの活性化・不活性化の処理を説明した図である。
【図４】図４は、被検出器ＩＣタグとそのデータ管理を説明した図である。
【図５】図５は、アクセスポイントの位置情報送信部を説明した図である。
【図６】図６は、サーバでのデータ構成を説明した図である。
【図７】図７は、運搬トレース確認を説明した図である。
【発明を実施するための形態】
【００１７】
本発明の、商品の位置検知による流通管理システムの実施形態を、一例を示した図を参照しつつ説明する。本発明の流通管理システムは、各商品に取り付けられた被検出器ＩＣタグと、複数の拠点の各々に設置されたアクセスポイントと、各アクセスポイントとネットワークで接続されたサーバとを備えている。
【００１８】
図１は、本発明による流通管理システムの一実施形態における一拠点の概略構成図である。拠点Ａ１０１は、典型的には、生産拠点、処理・加工拠点、流通拠点、販売拠点、保管場所等である。しかし、１つの拠点の態様は、この典型例に限定されない。例えば、１つの保管場所の中に複数の保管区画が設けられており、各区画を各拠点とみなし、各区画にアクセスポイントを設けてもよい。
【００１９】
拠点Ａ１０１には、拠点Ａ用のアクセスポイント１２１が設置されている。ここでのアクセスポイント１２１は、無線アンテナを含む検出器１２２及びこれを制御する適宜のコンピュータを備えた装置である。コンピュータとしてのアクセスポイントは、サーバに対する端末としての機能も備える。コンピュータとしてのアクセスポイントは、所定のプログラムを導入されており、ＣＰＵがメモリにプログラムを読み込み実行することによりアクセスポイントとしての各処理を実行する。アクセスポイント１２１は、自己の電波の及ぶ領域内に存在する被検出器ＩＣタグ１１２と無線通信を行う機能を備えている。
【００２０】
アクセスポイント１２１の電波の及ぶ領域内には、タグ活性化エリア１０２と、それ以外の範囲であるタグ活性化エリア外１０３とが含まれる。タグ活性化エリア１０２は、例えば、拠点Ａ１０１の中で、商品に対して所定の処理を行う場所や、商品を所定の品質管理条件下で保管する保管場所である。タグ活性化エリア外１０３は、例えば、拠点Ａ１０１の中で、商品を運び入れる入口や運び出す出口、あるいは、商品を長時間放置すべきでないような場所である。
【００２１】
商品１１１は、拠点Ａ１０１におけるタグ活性化エリア１０２の中に保管されている。保管されている商品１１１には、商品を管理するための被検出器ＩＣタグ１１２が取り付けられている。被検出器ＩＣタグ１１２内には、データ管理部１１３とデータ蓄積部１１４が設けられている。
【００２２】
符号１２２〜１３１は、アクセスポイント１２１が備える構成要素、又は、アクセスポイント１２１が実行する処理を示している。
拠点Ａ用のアクセスポイント１２１は、検出器１２２により被検出器ＩＣタグ１１２を自動検出し、被検出器ＩＣタグ１１２の活性化状況を確認する。ＩＣタグ活性化・非活性化部１２３が、被検出器ＩＣタグ１１２を、アクセスポイント１２１による自動位置検知にて自動的に適正な状態にする。この場合、タグ活性化エリア１０２の中に商品１１１が保管されているため、被検出器ＩＣタグ１１２を活性化状態に遷移させる（符号１４１）。被検出器ＩＣタグ１１２の「活性化」とは、例えば、無線アンテナからの電波により電力供給されて、被検出器ＩＣタグ１１２内の回路をＯＮ状態（メモリ等を使用可能）とすることを意味する。この活性化処理と同時に、時間管理部１２４は、被検出器ＩＣタグ１１２に活性化した時刻を記録させるための時間管理を行う。
【００２３】
また、被検出器ＩＣタグ１１２の活性化時には、拠点Ａ用のアクセスポイント１２１の商品情報登録部１２５が、自己の領域内で管理すべき商品１１１を登録する。具体的には、被検出器ＩＣタグ１１２から読み取った商品ＩＤと活性化の時刻を、自己に備わるデータ記憶装置（図示せず）に記録する。
さらに、商品情報詳細登録部１２６が、商品の詳細情報を登録する。具体的には、自己の領域内で被検出器ＩＣタグ１１２を初めて活性化した際に、サーバから商品１１１の詳細情報（例えば図４のデータ詳細４４１の「属性」、「積載荷物、量、コンテンツ、場所、距離など」、「付加情報」）を取得し、被検出器ＩＣタグ１１２のデータ蓄積部に記録させるとともに、自己に備わるデータ記憶装置（図示せず）に保管する。その後、商品１１１が自己の領域内に存在する間に被検出器ＩＣタグ１１２を再度非活性化又は再度活性化させた際には、自己に備わるデータ記憶装置（図示せず）に保管されているデータ詳細を用いて被検出器ＩＣタグ１１２のデータ蓄積部に記録させる。
【００２４】
一方、拠点Ａ１０１におけるタグ活性化エリア１０２の外となるタグ活性化エリア外１０３には、商品１１５が保管されている。保管されている商品１１５も同様に、商品を管理する被検出器ＩＣタグ１１６が取り付けられている。拠点Ａ用のアクセスポイント１２１は、検出器１２７（検出器１２２と同じ）により被検出器ＩＣタグ１１６を自動検出し、被検出器ＩＣタグ１１６の活性化状況を確認する。ＩＣタグ活性化・非活性化部１２８が、被検出器ＩＣタグ１１６をアクセスポイント１２１による自動位置検知にて自動的に適正な状態にする。この場合、タグ活性化エリア外１０３に商品１１５が保管されているため、被検出器ＩＣタグ１１６を非活性化状態に遷移させる（符号１４２）。被検出器ＩＣタグ１１６の「非活性化」とは、例えば、被検出器ＩＣタグ１１２内の回路をＯＦＦ状態（メモリ等を使用不能）とすることを意味する。この非活性化処理と同時に、時間管理部１２９が、被検出器ＩＣタグ１１６に非活性化した時刻を記録させるための時間管理を行う。  なお、非活性化処理では、被検出器ＩＣタグ１１６をＯＦＦ状態とするが、後に詳述する非活性化処理の際の被検出器ＩＣタグ１１６からの商品ＩＤの読み取りや、被検出器ＩＣタグ１１６内のデータ蓄積部への位置情報及び時刻の記録などの処理を完了した後に、被検出器ＩＣタグ１１６をＯＦＦ状態とする。
【００２５】
また、被検出器ＩＣタグ１１２の非活性化時には、拠点Ａ用のアクセスポイント１２１の商品情報登録部１３０が、自己の領域内で管理すべき商品１１５を登録する。具体的には、被検出器ＩＣタグ１１６から読み取った商品ＩＤと非活性化の時刻を、自己に備わるデータ記憶装置（図示せず）に記録する。
さらに、商品情報詳細登録部１３１が、商品の詳細情報も登録する。具体的には、サーバから取得した商品の詳細情報（例えば図４のデータ詳細４４１の「属性」、「積載荷物、量、コンテンツ、場所、距離など」、「付加情報」）を、被検出器ＩＣタグ１１２のデータ蓄積部に記録させる。
【００２６】
図１を参照して説明した拠点Ａの構成は、本システムに含まれる他の各拠点についても同様である。
【００２７】
次に、図２を参照して、複数の拠点の管理形態例について説明する。図２は、拠点Ａ２０１と拠点Ｂ２１１と拠点Ｃ２２１の３つの拠点を例に示している。
【００２８】
拠点Ａ２０１は、拠点Ａ用アクセスポイント２０５からの電波が及ぶ領域にあり、拠点Ａ用アクセスポイント２０５の領域に所属する。商品群２０３（個々の商品２０４からなる）はタグ活性化エリア２０２の中に位置するため、拠点Ａ用アクセスポイント２０５は商品群２０３の商品２０４に取り付けられた被検出器ＩＣタグ（図示せず）の活性化を行う。また、この活性化処理と同時に、被検出器ＩＣタグに活性化の時刻を記録させるための時間管理を行う。
【００２９】
拠点Ａ用アクセスポイント２０５は、定期的にネットワーク２５１を経由して商品ＩＤを含む商品の位置情報をサーバ２６１に送信することができる。サーバ２６１もまた、適宜のコンピュータであり、所定のプログラムを導入されており、ＣＰＵがメモリにプログラムを読み込み実行することにより本システムの各処理を実行する。サーバ２６１は、拠点Ａ用アクセスポイント２０５から受信した商品の位置情報を、外部データ蓄積部２７１に格納する。
【００３０】
商品２０４が、運搬による移動に伴って拠点Ｃ２２１のタグ活性化エリア２２２の中に移動した場合、商品２０４は、拠点Ｃ２２１の商品群２２３（個々の商品２２４からなる）と同様に管理される。拠点Ｃ２２１での管理は、拠点Ａでの管理と同じである。
【００３１】
商品２０４は、拠点Ｃ２２１のタグ活性化エリア２２２の中に移動するため、その所属がタグ活性化エリア２０２からタグ活性化エリア２２２となり、拠点Ｃ用アクセスポイント２２５による自動位置検知にて自動的に管理されることとなる。なお、商品２０４が、運搬による移動に伴って拠点Ｃ２２１に移動した際、商品２０４はタグ活性化エリア２０２外に移動するため、拠点Ａ用アクセスポイント２０５による自動位置検知にてＩＣタグ活性化・非活性化部が商品２０４の被検出器ＩＣタグを非活性化の状態に遷移させる。また、この非活性化処理と同時に、被検出器ＩＣタグに非活性化の時刻を記録させるための時間管理を行う。
【００３２】
拠点Ｂ２１１は、拠点Ｂ用アクセスポイント２１５からの電波が及ぶ領域にあり、拠点Ｂ用アクセスポイント２１５の領域に所属する。商品群２１３（個々の商品２１４を含む）はタグ活性化エリア２１２の中に位置するため、拠点Ｂ用アクセスポイント２１５は商品群２１３の被検出器ＩＣタグの活性化を行う。また、この活性化処理と同時に、被検出器ＩＣタグに活性化の時刻を記録させるための時間管理を行う。
【００３３】
拠点Ｂ用アクセスポイント２１５は、定期的にネットワーク２５１を経由して商品ＩＤを含む商品の位置情報をサーバ２６１に送信することができる。サーバ２６１は、拠点Ｂ用アクセスポイント２１５から受信した商品の位置情報を、外部データ蓄積部２７１に格納する。
【００３４】
商品２１４が、運搬による移動に伴って拠点Ｃ２２１のタグ活性化エリア２２２の中に移動した場合、商品２１４は、拠点Ｃ２２１の商品群２２３（個々の商品２２４からなる）と同様に管理される。拠点Ｃ２２１での管理は、拠点Ｂでの管理と同じである。
【００３５】
図３を参照して、本システムにおいて、商品とその位置とを結び付けるために、種々の商品をいずれかの拠点と紐付けする手法について説明する。
【００３６】
図３のケース１は、３つの拠点３０１、３０２、３０３の間の、ケース２は、２つの拠点３０４、３０５の間の商品の移動の例である。符号３５１は、４種の紐付けパターンを示す。紐付けパターン３５１中の「場所→場所」は、最初の拠点内のタグ活性化エリアに入ったときの処理または最終の拠点内のタグ活性エリアから出たときの処理であることを示す。「場所→移動」はタグ活性化エリアから出て別の拠点に移動するときの処理であることを示す。「移動→場所」は別の拠点から移動してきてタグ活性化エリア内に入ったときの処理であることを示す。図３中、商品に付したＡ〜Ｌは、商品自体の変化ではなく商品に取り付けられた被検出器ＩＣタグの状態の変化を示す。
【００３７】
図３のケース１では、生産拠点３０１のタグ活性化エリアを管理するアクセスポイントが、生産拠点３０１内の商品を管理している。生産されたばかりの商品は、ＩＣタグが無登録の状態である。紐付けパターン３５１のパターン（１）に基づき、無登録の状態（商品Ａ）から活性化状態（商品Ｂ）とする紐付けを行う。次に、活性化開始した商品Ｂは、処理・加工を施すために処理・加工拠点３０２に運搬され移動する。その際、生産拠点３０１のタグ活性化エリア外に移動するためアクセスポイントによる自動位置検知にて自動的にＩＣタグ活性化・非活性化部により紐付けパターン３５１のパターン（２）に基づき、活性化状態（商品Ｂ）から非活性化状態（商品Ｃ）に遷移する。商品Ｃは、運搬機器を使って別の処理・加工拠点３０２に移動される。
【００３８】
生産拠点３０１から処理・加工拠点３０２へ移動した商品Ｃは、処理・加工拠点３０２のアクセスポイントによる自動位置検知にて自動的にＩＣタグ活性化・非活性化部により紐付けパターン（３）に基づき、非活性化状態（商品Ｃ）から活性化状態（商品Ｄ）に遷移する。
【００３９】
次に、処理・加工された商品Ｄは、別の流通・販売拠点３０３に運搬され移動する。その際、処理・加工拠点３０２のタグ活性化エリア外に移動するためアクセスポイントによる自動位置検知にて自動的にＩＣタグ活性化・非活性化部により紐付けパターン３５１のパターン（２）に基づき、活性化状態（商品Ｄ）から非活性化状態（商品Ｅ）に遷移する。商品Ｅは、運搬機器を使って別の流通・販売拠点３０３に移動される。
【００４０】
処理・加工拠点３０２から流通・販売拠点３０３へ移動した商品Ｅは、流通・販売拠点３０３のアクセスポイントによる自動位置検知にて自動的にＩＣタグ活性化・非活性化部にて紐付けパターン（３）に基づき、非活性化状態（商品Ｅ）から活性化状態（商品Ｆ）に遷移する。
【００４１】
次に、流通・販売拠点３０３から流通・販売された商品は、消費のために、流通・販売拠点３０３のタグ活性化エリア外に移動する。その際、流通・販売拠点３０３のアクセスポイントによる自動位置検知にて自動的にＩＣタグ活性化・非活性化部により紐付けパターン３５１のパターン（４）に基づき非活性化状態（商品Ｇ）に遷移する。
【００４２】
ここで被検出器ＩＣタグ内の情報は保持したままとし、消費のための運搬経路上にてＩＣタグ内の情報を再利用することが可能である。
【００４３】
次に、図３のケース２を参照して、保管場所における商品管理に適用した形態例について説明する。
【００４４】
各拠点３０４にて商品を保管する場合、各拠点のタグ活性化エリア内にてアクセスポイントによる自動位置検知にて自動的にＩＣタグ活性化・非活性化部により活性化状態（商品Ｂ、Ｄ、Ｆ）にある。
【００４５】
別の保管場所等３０５に移動する際、各拠点のタグ活性化エリア外に移動するためアクセスポイントによる自動位置検知にて自動的にＩＣタグ活性化・非活性化部により紐付けパターン（２）に基づき、活性化状態（商品Ｂ、Ｄ、Ｆ）から非活性化状態（商品Ｈ）に遷移する。商品Ｂ、Ｄ、Ｆは、運搬機器を使って別の保管場所等３０５に移動される。
【００４６】
次に、保管場所等３０５のタグ活性化エリアの内に移動するため、保管場所等３０５のアクセスポイントによる自動位置検知にて自動的にＩＣタグ活性化・非活性化部により紐付けパターン（３）に基づき、非活性化状態（商品Ｈ）から活性化状態（商品Ｉ）に遷移する。
【００４７】
次に、消費のために、保管場所等３０５のタグ活性化エリアの外に移動する。その際、保管場所等のアクセスポイントによる自動位置検知にて自動的にＩＣタグ活性化・非活性化部により紐付けパターン（４）に基づき非活性化状態（商品Ｊ）に遷移する。
【００４８】
ここでＩＣタグ内の情報は保持したままとし、消費後の運搬経路によりＩＣタグ内の情報を再利用することが可能である。
【００４９】
図４は、商品に取り付けられる被検出器ＩＣタグの構成を示したものである。
被検出器ＩＣタグ４０１は、商品ごとに一意に割り当てられた商品ＩＤを記憶した被検出器ＩＣ部４１１と、データ管理部４１２と、データ蓄積部４１３とを具備する。アクセスポイントは、被検出器ＩＣタグ４０１の被検出器ＩＣ部４１１の商品ＩＤを読み取ったとき、商品の位置情報をデータ蓄積部４１３に記録させる。この位置情報の記録は、商品が破棄されるまで保持し続けられる性質のものである。
【００５０】
データ蓄積部４１３のメモリ内は、分割されており複数の領域エリア４３１が確保されている。拠点ごとに領域エリアを分けて使用する。また、１つの領域エリアには、複数のデータ４３２を記録することができる。１つのデータ４３２が、当該商品の１つの位置情報に対応する。データ蓄積部４１３の割り当てられた領域エリアに記録することで、商品の現在位置を示す位置情報を記録することになる。例えば、Ａ領域エリアには、拠点Ａ用アクセスポイントによって記録させられた位置情報のみが存在する。これらは、商品が拠点Ａに存在していた間の位置情報となる。
【００５１】
また、アクセスポイントは、商品ＩＤを読み取ったときに現在の時刻を取得し、取得した時刻を、位置情報の記録要求とともに被検出器ＩＣタグ４０１に送信する。この位置情報の記録要求には、被検出器ＩＣタグ４０１のデータ蓄積部４１３のメモリ内のどの領域エリアに記録すべきかを指定する情報が含まれている。
【００５２】
被検出器ＩＣタグ４０１のデータ管理部４１２は、上述したアクセスポイントとのデータの授受を管理する。データ管理部４１２は、アクセスポイントの要求に応じて被検出器ＩＣ部４１１から商品ＩＤを取得してアクセスポイントに送信し、また、アクセスポイントから受信した位置情報の記録要求に基づいてデータ蓄積部４１３に位置情報を記録する。
【００５３】
データ蓄積部４１３に記録するデータ４３２すなわち位置情報の詳細は、商品管理にて使用する情報も含まれていることが好ましい。位置情報のデータ詳細４４１のデータ項目として「商品ＩＤ」、「属性」、「時刻」、商品の詳細情報として「積載荷物、量、コンテンツ、場所、距離など」、被検出器ＩＣタグを活性化したか非活性化したかを示す「タグ活性化（タグ非活性化）」、「付加情報」等がある。さらに、当該位置情報をサーバに送信済みか否かを示すフラグを設けることが好適である。商品の詳細情報等については、アクセスポイントが自己のデータ蓄積部に保有していない場合は、サーバから取得して被検出器ＩＣタグ４０１に送信して記録させる。
【００５４】
図５は、アクセスポイントが実行する処理の１つである位置情報送信部（図１では示していない）の構成及びフローを模式的に示した図である。この処理では、被検出器ＩＣタグから商品ＩＤを取得すると同時に、位置情報を被検出器ＩＣタグに記録させる一方、サーバに商品の位置情報を送信する。
【００５５】
商品には、被検出器ＩＣタグ５２１が取り付けられている。被検出器ＩＣタグ５２１は、商品ごとに一意に割り当てられた商品ＩＤを記憶した被検出器ＩＣ部５２２と、データ蓄積部５２３とを具備する。アクセスポイント５２４では、商品に取り付けられた被検出器ＩＣタグ５２１の被検出器ＩＣ部５２２の商品ＩＤを読み取る（ステップ５１１）。この読み取りと同時に現在の時刻を取得し、時刻とともに位置情報の記録要求を被検出器ＩＣタグ５２１に対して送信し、時刻を含む位置情報を記録させる（ステップ５１２）。
【００５６】
続いて、被検出器ＩＣタグ５２１のデータ蓄積部５２３に記録した位置情報の中で、サーバに未送信の位置情報をサーバに送信する（ステップ５１３）。サーバに未送信であるか否かは、例えば、位置情報に含まれるフラグで判断する。アクセスポイント５２４は、サーバにデータを送信する際には、アクセスポイントごとに一意に割り当てられた位置ＩＤを用いて行うので、サーバは、送信を行ったアクセスポイントの位置ＩＤとともに位置情報を受信することとなる。
【００５７】
サーバとの通信が成功した場合には、送信した位置情報に含まれるフラグを送信済みとし、タイマー手段５１４を経て、次の被検出器ＩＣタグ５２１の商品ＩＤの読み取りステップ５１１に移る。サーバとの通信が失敗した場合には、記録した位置情報はそのままでタイマー手段５１５を経て、次の位置情報の記録ステップ５１２に移る。
【００５８】
符号５３１は、アクセスポイントがサーバに送る位置情報のデータフォーマットの一例を示したものである。「商品ＩＤ」と、１又は複数の「時刻」及び「位置情報」のペアとで構成されている。この例では、図４に示した位置情報のデータ詳細の中の時刻を他の情報とは別に取り出して送信している。また、アクセスポイントからサーバに送信する情報の種類はいくつかあるため、メッセージの種類を識別するmsgＩＤのカラムを持っている。
【００５９】
図６は、サーバが外部データ蓄積部にて管理するテーブルの構成例を示したものである。
商品管理マスタ６０１の有する商品管理テーブル６０２、タグ管理トランザクション６１１の有するタグ管理テーブル６１２、アクセスポイントマスタ６２１の有するアクセスポイントテーブル６２２が示されている。
【００６０】
商品管理テーブル６０２では、商品属性として「商品ＩＤ」、「日付」、「場所」を管理している。商品管理テーブル６０２は、商品ごとに予め登録されている。
タグ管理テーブル６１２では、被検出器ＩＣタグごとに、「商品ＩＤ」、次の目的地の「目的地ＩＤ」、並びに運搬時のアクセスポイントにより位置検知された１又は複数の「時刻」及び「位置ＩＤ」のペアで構成されたレコードを管理している。「位置ＩＤ」は、アクセスポイントが位置情報を送信してきたときに取得する。タグ管理テーブル６１２は、アクセスポイントから位置情報が送信されたときに更新される。
また、アクセスポイントテーブル６２２では各拠点に設定されたアクセスポイントの「位置ＩＤ」、アクセスポイントの「場所」の他に、当該拠点の品質管理状況情報である「温度管理情報」及び「保管管理情報」を管理している。アクセスポイントテーブル６２２は、アクセスポイントごとに予め登録されている。
【００６１】
図７は、運搬結果を確認する画面７０１の一例である。対象期間７１１と対象となる場所７１２を指定することができ、検索結果を表示する画面７１３で構成されている。検索結果は、拠点ごと、日付ごと、商品ごとに集計し、その結果を例えば画面７２１のように表示することができる。また、商品ごとに運搬履歴を編集し、その結果を例えば画面７２２のように印字することができる。
【符号の説明】
【００６２】
１０１  拠点Ａ
１０２  タグ活性化エリア
１０３  タグ活性化エリア外
１１１、１１５  商品
１１２  被検出器ＩＣタグ
１１３  データ管理部
１１４  データ蓄積部
１２１  拠点Ａ用アクセスポイント
１２２、１２７  検出器
１２３、１２８  ＩＣタグ活性化・非活性化部
１２４、１２９  時間管理部
１２５、１３０  商品情報登録部
１２６、１３１  商品情報詳細登録部
【図１】
2014071555.tif 000003
【図２】
2014071555.tif 000004
【図３】
2014071555.tif 000005
【図４】
2014071555.tif 000006
【図５】
2014071555.tif 000007
【図６】
2014071555.tif 000008
【図７】
2014071555.tif 000009